(57)【要約】【課題】  交差状に接合される筒状部材と円形棒状部材の接合部の強度の向上を図ると共に、美観の向上を図れるようにすること。【解決手段】  筒状部材である笠木部材１０の一側壁に固着され、笠木部材と円形棒状部材である支柱部材３０とを交差状に接合するブラインドナット２０において、ブラインドナットは、支柱部材が螺合可能な雌ねじ部２１と、支柱部材が嵌挿可能な保持筒部２３とを有し、保持筒部の開口縁に形成された環状鍔部２５と保持筒部の側壁から外方に隆起する環状突起２６とで筒状部材の一側壁にかしめ固定され、保持筒部は雌ねじ部より大径に形成されると共に、雌ねじ部と保持筒部との段部２２が平面状に形成される。これにより、支柱部材の雄ねじ部をブラインドナットの雌ねじ部に螺合し、棒状本体の先端面を段付きスリーブの段部に当接すると共に、棒状本体の先端部を保持筒部内に嵌挿した状態で、筒状部材と円形棒状部材とを交差状に接合することができる。【選択図】    図１
2006177473.tif 000002
【特許請求の範囲】
【請求項１】
筒状部材の一側壁に固着され、筒状部材と円形棒状部材とを交差状に接合するブラインドナットであって、
上記円形棒状部材が螺合可能な雌ねじ部と、円形棒状部材が嵌挿可能な保持筒部とを有し、保持筒部の開口縁に形成された環状鍔部と保持筒部の側壁から外方に隆起する環状突起とで上記筒状部材の一側壁にかしめ固定され、上記保持筒部は上記雌ねじ部より大径に形成されると共に、雌ねじ部と保持筒部との段部が平面状に形成される段付きスリーブを有する、ことを特徴とするブラインドナット。
【請求項２】
筒状部材の一側壁に固着されるブラインドナットを介して筒状部材と円形棒状部材とを交差状に接合するブラインドナットを用いた接合構造であって、
上記ブラインドナットは、雌ねじ部と、該雌ねじ部より大径の保持筒部とからなる段付きスリーブを有すると共に、保持筒部の開口縁に形成されて筒状部材の外周面に密接する環状鍔部とを有し、該環状鍔部と保持筒部の側壁から外方に隆起する環状突起とで筒状部材にかしめ固定され、
上記円形棒状部材は、上記保持筒部内に嵌挿可能な棒状本体と、該棒状本体の先端から突設され、上記雌ねじ部に螺合可能な雄ねじ部を有し、
上記円形棒状部材の雄ねじ部を上記ブラインドナットの雌ねじ部に螺合し、棒状本体の先端面を段付きスリーブの段部に当接すると共に、棒状本体の先端部を保持筒部内に嵌挿した状態で、筒状部材と円形棒状部材とを交差状に接合してなる、ことを特徴とするブラインドナットを用いた接合構造。
【請求項３】
請求項２記載のブラインドナットを用いた接合構造において、
上記筒状部材が円筒状の笠木部材であり、上記円形棒状部材が上記笠木部材を支持する支持部材である、ことを特徴とするブラインドナットを用いた接合構造。
【請求項４】
請求項２又は３記載のブラインドナットを用いた接合構造において、
上記ブラインドナットの雌ねじ部と保持筒部との段部を平面状に形成し、上記円形棒状部材の棒状本体の先端に、上記段部の平面に当接する平坦面を形成してなる、ことを特徴とするブラインドナットを用いた接合構造。
【発明の詳細な説明】
【技術分野】
【０００１】
この発明は、筒状部材の一側壁に固着されるブラインドナットを介して筒状部材と円形棒状部材とを交差状に接合する接合構造に関するものである。
【背景技術】
【０００２】
一般に、筒状部材と円形棒状部材を交差状に接合するには、筒状部材の側壁面に円形棒状部材の端面を当接した状態で、溶接によって接合する接合工法が知られている。しかし、この接合工法は接合作業に多くの時間を要すると共に、熟練を要し、かつ、溶接部の焼け跡や凹凸等の仕上げに手間を要する上、溶接部の仕上がりの均一性が悪いという問題がある。
【０００３】
そこで、従来では、溶接による接合に代えて、筒状部材の一側壁に透孔を穿設し、該透孔にブラインドナットを挿入し、専用の治具を用いてブラインドナットをかしめによって固着するようにしたものが知られている（例えば、特許文献１参照）。
【０００４】
また、上記と同様に筒状部材の一側壁に固着されるナットの頭部の下面を、筒状部材例えばパイプの外周面と当接させるべく円弧状に形成したものも知られている（例えば、特許文献２参照）。
【特許文献１】特開２００２−９８１２４（特許請求の範囲、図１）
【特許文献２】特開２００３−２０６９２０（特許請求の範囲、図２）
【発明の開示】
【発明が解決しようとする課題】
【０００５】
しかしながら、上記ブラインドナットを用いて筒状部材と円形棒状部材とを交差状に接合すると、ブラインドナットの頭部と円形棒状部材の当接部が外部に露出すると共に、隙間が生じる虞があり、接合部の強度低下や美観が損なわれる等の問題があった。
【０００６】
接合部の美観を向上させる手段として、ブラインドナットと円形棒状部材との間に介在される座金部材によってブラインドナットの頭部を内包することも考えられるが、これにおいても、座金部材と円形棒状部材が当接状態となるため、接合部の強度の向上が図れないという問題がある。
【０００７】
この発明は、上記事情に鑑みてなされたもので、交差状に接合される筒状部材と円形棒状部材の接合部の強度の向上を図ると共に、美観の向上を図れるようにしたブラインドナット及びブラインドナットを用いた接合構造を提供することを課題とするものである。
【課題を解決するための手段】
【０００８】
上記課題を解決するために、請求項１記載の発明は、筒状部材の一側壁に固着され、筒状部材と円形棒状部材とを交差状に接合するブラインドナットであって、  上記円形棒状部材が螺合可能な雌ねじ部と、円形棒状部材が嵌挿可能な保持筒部とを有し、保持筒部の開口縁に形成された環状鍔部と保持筒部の側壁から外方に隆起する環状突起とで上記筒状部材の一側壁にかしめ固定され、上記保持筒部は上記雌ねじ部より大径に形成されると共に、雌ねじ部と保持筒部との段部が平面状に形成される段付きスリーブを有する、ことを特徴とする。
【０００９】
また、請求項２記載の発明は、筒状部材の一側壁に固着されるブラインドナットを介して筒状部材と円形棒状部材とを交差状に接合するブラインドナットを用いた接合構造であって、  上記ブラインドナットは、雌ねじ部と、該雌ねじ部より大径の保持筒部とからなる段付きスリーブを有すると共に、保持筒部の開口縁に形成されて筒状部材の外周面に密接する環状鍔部とを有し、該環状鍔部と保持筒部の側壁から外方に隆起する環状突起とで筒状部材にかしめ固定され、  上記円形棒状部材は、上記保持筒部内に嵌挿可能な棒状本体と、該棒状本体の先端から突設され、上記雌ねじ部に螺合可能な雄ねじ部を有し、  上記円形棒状部材の雄ねじ部を上記ブラインドナットの雌ねじ部に螺合し、棒状本体の先端面を段付きスリーブの段部に当接すると共に、棒状本体の先端部を保持筒部内に嵌挿した状態で、筒状部材と円形棒状部材とを交差状に接合してなる、ことを特徴とする。
【００１０】
この発明において、上記筒状部材は、上記円形棒状部材との接合面の形状は平面あるいは曲面の任意の形状のものでよく、例えば円筒状の笠木部材にて形成することができる。この場合、上記円形棒状部材を上記笠木部材を支持する中実あるいは中空状の支持部材にて形成することができる（請求項３）。
【００１１】
また、上記ブラインドナットの雌ねじ部と保持筒部との段部の形状は任意であってもよいが、段部を平面状に形成し、上記円形棒状部材の棒状本体の先端に、上記段部の平面に当接する平坦面を形成する方が好ましい（請求項４）。
【発明の効果】
【００１２】
上記のように構成することにより、以下のような効果が得られる。
【００１３】
（１）請求項１，２，３記載の発明によれば、環状鍔部が筒状部材の外周面に密接した状態で筒状部材に固着されたブラインドナットの雌ねじ部に、円形棒状部材を構成する棒状本体の先端に突設された雄ねじ部を螺合し、棒状本体の先端面を段付きスリーブの段部に当接すると共に、棒状本体の先端部を保持筒部内に嵌挿した状態で、筒状部材と円形棒状部材とを交差状に接合することができる。したがって、筒状部材と円形棒状部材の当接部が外部に突出することがなく、筒状部材と円形棒状部材とを容易にかつ強固に接合することができる。また、筒状部材と円形棒状部材の接合部における外部の露出部に環状鍔部が形成されるので、美観の向上を図ることができる。
【００１４】
（２）請求項４記載の発明によれば、ブラインドナットの雌ねじ部と保持筒部との段部を平面状に形成し、円形棒状部材の棒状本体の先端に、上記段部の平面に当接する平坦面を形成することにより、上記（１）に加えて更に筒状部材と円形棒状部材との接合を強固にすることができる。
【発明を実施するための最良の形態】
【００１５】
以下に、この発明の最良の実施形態を添付図面に基づいて詳細に説明する。ここでは、この発明に係る接合構造を手摺に適用した場合について説明する。
【００１６】
図１は、この発明に係る接合構造を適用した手摺の断面図（ａ）、及び（ａ）のＩ部拡大断面図（ｂ）、図２は、上記手摺の分解斜視図である。
【００１７】
上記手摺は、筒状部材例えばステンレス鋼製の円筒部材にて形成される笠木部材１０と、この笠木部材１０の下端側の一側面に適宜間隔をおいて穿設された透孔１１内に挿入されて、かしめにより固着される複数のステンレス鋼製のブラインドナット２０と、各ブラインドナット２０を介して笠木部材１０に一端部（先端部）が接合される円形棒状部材であるステンレス鋼製の支柱部材３０とを具備しており、支柱部材３０の他端部（基端部）に取り付けられるブラケット４０を介して建造物の壁Ｗに固定されている。
【００１８】
上記ブラインドナット２０は、雌ねじ部２１と、該雌ねじ部２１の一端に段部２２を介して上方に延在する雌ねじ部２１より大径の保持筒部２３とからなる段付きスリーブ２４を有すると共に、保持筒部２３の開口縁に形成されて笠木部材１０の外周面に密接する環状鍔部２５とを有している。このブラインドナット２０は、後述する専用治具５０によって保持筒部２３の側壁から外方に隆起する環状突起２６と、環状鍔部２５とで笠木部材１０にかしめ固定されている。
【００１９】
この場合、保持筒部２３の肉厚は雌ねじ部２１の肉厚より薄く形成されており、専用治具５０の操作によって保持筒部２３の一部が座屈して外方に環状突起２６が隆起可能になっている。また、上記環状鍔部２５は、外方に向かって下り勾配を有する断面略三角形状に形成されている。また、ブラインドナット２０の雌ねじ部２１と保持筒部２３との間に形成される段部２２は平面状に形成されている。すなわち、段部２２は略直角に形成されており、保持筒部２３と雌ねじ部２１との間が平面状に形成されている。
【００２０】
上記支柱部材３０は、ブラインドナット２０の保持筒部２３内に摺動及び回転可能に貫挿される棒状本体３１と、該棒状本体３１の先端（上端）から突設され、雌ねじ部２１に螺合可能な雄ねじ部３２とを有している。この場合、支柱部材３０の棒状本体３１の先端には、ブラインドナット２０の段部２２の平面に当接する平坦面３３が形成されている。また、支柱部材３０の基端（下端）には、支柱部材３０とブラケット４０とを連結する連結ボルト６０が螺合するねじ孔３４が刻設されると共に、ねじ孔３４の開口側に六角レンチ等の工具が係合可能な六角孔３５が設けられている。ここでは、支柱部材３０は中実状に形成されているが、中空状に形成してもよい。
【００２１】
上記のように形成される笠木部材１０と支柱部材３０とを接合するには、まず、図３に示すように、笠木部材１０の下端部に適宜間隔をおいて透孔１１を穿設する。次に、透孔１１内にブラインドナット２０を挿入して、環状鍔部２５を笠木部材１０の外周面に係合可能にする。この状態で、笠木部材１０の外周面と相似形の凹円弧状の加圧部５１を有すると共に、雌ねじ部２１に螺合する操作雄ねじ部５２が回転及び軸方向に移動可能な専用治具５０を用いて、ブラインドナット２０を笠木部材１０にかしめ固定する。すなわち、専用治具５０の操作雄ねじ部５２をブラインドナット２０の雌ねじ部２１に螺合した後、操作雄ねじ部５２を専用治具５０側に所定量移動して、雌ねじ部２１を引き込むことにより、環状鍔部２５が笠木部材１０の外周面に密接すると共に、保持筒部２３の一部が座屈して外方に環状突起２６が隆起し、環状鍔部２５と環状突起２６とで笠木部材１０を挟持した状態で、ブラインドナット２０はかしめ固定される。そして、六角レンチ等の工具（図示せず）を支柱部材３０の六角孔３５に係合させた状態で回転させて、笠木部材１０にかしめ固定されたブラインドナット２０の雌ねじ部２１に支柱部材３０の雄ねじ部３２を螺合し、棒状本体３１の平坦面３３を段付きスリーブ２４の段部２２に当接すると共に、棒状本体３１の先端部を保持筒部２３内に嵌挿した状態で、笠木部材１０と支柱部材３０とを交差状に接合する。
【００２２】
したがって、上記実施形態の接合構造によれば、笠木部材１０に固着されたブラインドナット２０の雌ねじ部２１に支柱部材３０の雄ねじ部３２を螺合すると共に、支柱部材３０の棒状本体３１の先端部を保持筒部２３内に呑み込ませた状態で嵌挿し、かつ、棒状本体３１の先端部に形成された平坦面３３をブラインドナット２０の段部２２に形成された平面に当接するので、笠木部材１０と支柱部材３０とを容易にかつ強固に接合することができる。また、笠木部材１０と支柱部材３０の接合部における外部の露出部には、笠木部材１０の外周面に密接し、かつ外方に向かって下り勾配を有する断面略三角形状の環状鍔部２５が形成されるので、美観の向上を図ることができる。
【００２３】
なお、上記実施形態では、この発明に係る接合構造を手摺の笠木部材１０と支柱部材３０の接合に適用した場合について説明したが、この発明に係る接合構造は、手摺の笠木部材１０と支柱部材３０の接合に限定されるものではなく、手摺以外の筒状部材の一側壁に固着されるブラインドナットを介して筒状部材と円形棒状部材とを交差状に接合するものにも適用可能である。
【００２４】
また、上記実施形態では、筒状部材が円筒状の場合について説明したが、円筒状以外の筒状部材、例えば、図８−ａないし図８−ｅに示すような楕円筒状部材１０Ａ，かまぼこ型筒状部材１０Ｂ，四角筒状部材１０Ｃ，六角や八角等の多角筒状部材１０Ｄ（図面では六角筒状部材を示す）あるいは接合面が凹状面の筒状部材１０Ｅ等についても、同様にブラインドナット２０を固着して円形棒状部材３０Ａを交差状に接合可能である。なお、図８−ｃに示す四角筒状部材１０Ｃ及び図８−ｄに示す多角筒状部材１０Ｄのように接合面が平面状の場合には、ブラインドナット２０をかしめる専用工具の加圧部を平面状加圧面にすればよい。また、図８−ｅに示す接合面が凹状面の筒状部材１０Ｅに円形棒状部材３０Ａを接合する場合には、ブラインドナット２０をかしめる専用工具の加圧部を凹状面と相似形状の凸状加圧面にすればよい。
【００２５】
なお、図８−ａないし図８−ｅにおいて、その他の部分は上記実施形態と同じであるので、同一部分には同一符号を付して説明は省略する。
【図面の簡単な説明】
【００２６】
【図１】この発明に係る接合構造を適用した手摺の断面図（ａ）、及び（ａ）のＩ部拡大断面図（ｂ）である。
【図２】上記手摺の分解斜視図である。
【図３】この発明におけるブラインドナットの取付前の状態を示す断面図である。
【図４】上記ブラインドナットの取付時の状態を示す断面図である。
【図５】上記ブラインドナットの取付後の状態を示す断面図である。
【図６】上記手摺の笠木部材と支柱部材の接合状態を示す断面図である。
【図７】上記手摺の笠木部材と支柱部材を示す斜視図である。
【図８−ａ】この発明における筒状部材を楕円形状筒状部材にて形成した場合の取付状態を示す断面図である。
【図８−ｂ】この発明における筒状部材をかまぼこ型筒状部材にて形成した場合の取付状態を示す断面図である。
【図８−ｃ】この発明における筒状部材を四角筒状部材にて形成した場合の取付状態を示す断面図である。
【図８−ｄ】この発明における筒状部材を多角（六角）筒状部材にて形成した場合の取付状態を示す断面図である。
【図８−ｅ】この発明における筒状部材を接合面が凹状面の筒状部材にて形成した場合の取付状態を示す断面図である。
【符号の説明】
【００２７】
１０  笠木部材（筒状部材）
１０Ａ  楕円筒状部材
１０Ｂ  かまぼこ型筒状部材
１０Ｃ  四角筒状部材
１０Ｄ  多角筒状部材
１０Ｅ  凹状面を有する筒状部材
１１  透孔
２０  ブラインドナット
２１  雌ねじ部
２２  段部
２３  保持筒部
２４  段付きスリーブ
２５  環状鍔部
２６  環状突起
３０  支柱部材（円形棒状部材）
３０Ａ  円形棒状部材
３１  棒状本体
３２  雌ねじ部
３３  平坦面
【図１】
2006177473.tif 000003
【図２】
2006177473.tif 000004
【図３】
2006177473.tif 000005
【図４】
2006177473.tif 000006
【図５】
2006177473.tif 000007
【図６】
2006177473.tif 000008
【図７】
2006177473.tif 000009
【図８−ａ】
2006177473.tif 000010
【図８−ｂ】
2006177473.tif 000011
【図８−ｃ】
2006177473.tif 000012
【図８−ｄ】
2006177473.tif 000013
【図８−ｅ】
2006177473.tif 000014